(57)【要約】【課題】記録媒体に記録した静止画が多い場合でも、再生時の検索性を向上させることを課題とする。【解決手段】複数の検索単位から構成される動画像データと、複数画面の静止画像データとを記録媒体から再生する再生手段（１１０）と、再生手段により再生された複数画面の静止画像データを用いて検索単位からなる動画像データを生成する生成手段（１０８，１０９，１１１〜１１３）と、記録媒体に記録可能な検索単位の残数と、記録媒体に記録されている静止画像データの数とに基づいて、生成手段により生成される動画像データにおける検索単位の構成を決定する制御手段（１０８）とを有する画像処理装置が提供される。【選択図】図１
2007116462.tif 000002
【特許請求の範囲】
【請求項１】
複数の検索単位から構成される動画像データと、複数画面の静止画像データとを記録媒体から再生する再生手段と、
前記再生手段により再生された複数画面の静止画像データを用いて前記検索単位からなる動画像データを生成する生成手段と、
前記記録媒体に記録可能な前記検索単位の残数と、前記記録媒体に記録されている静止画像データの数とに基づいて、前記生成手段により生成される動画像データにおける前記検索単位の構成を決定する制御手段と
を有することを特徴とする画像処理装置。
【請求項２】
前記制御手段は、前記記録媒体に記録可能な前記検索単位の残数と前記記録媒体に記録されている静止画像データの数とを比較し、この比較結果に応じて前記生成手段により生成される動画像データにおける前記検索単位の構成を決定することを特徴とする請求項１記載の画像処理装置。
【請求項３】
前記制御手段は、前記比較の結果、前記静止画像データの数の方が多い場合、前記生成手段により生成される動画像データに含まれる複数の前記検索単位のうちの少なくとも一つを複数画面の前記静止画像データにより構成し、前記静止画像データの数が前記記録媒体に記録可能な前記検索単位の残数以下の場合、前記生成手段により生成される動画像データに含まれる複数の前記検索単位をそれぞれ１画面の前記静止画像データにより構成することを特徴とする請求項２記載の画像処理装置。
【請求項４】
前記制御手段は、前記比較の結果、前記静止画像データの数の方が多い場合、前記生成手段により生成される動画像データに含まれる複数の前記検索単位をそれぞれ複数画面の前記静止画像データにより構成することを特徴とする請求項２記載の画像処理装置。
【請求項５】
前記制御手段は、前記比較の結果、前記静止画像データの数の方が多い場合、前記記録媒体に記録されている複数画面の静止画像データを複数のグループに分割し、前記生成手段により生成される動画像データに含まれる複数の前記検索単位をそれぞれ一つの前記グループの前記静止画像データにより構成することを特徴とする請求項２記載の画像処理装置。
【請求項６】
前記制御手段は、前記静止画像データの記録日に基づいて前記複数のグループに分割することを特徴とする請求項５記載の画像処理装置。
【請求項７】
前記制御手段は、前記静止画像データの記録時間に基づいて前記複数のグループに分割することを特徴とする請求項５記載の画像処理装置。
【請求項８】
前記記録媒体に記録されている動画像データは、それぞれ最大ｍ個の第１の検索単位からなる第２の検索単位に分割されており、前記生成手段は、ｍ個の前記第１の検索単位毎に前記第２の検索単位を構成する動画像データを生成することを特徴とする請求項１記載の画像処理装置。
【請求項９】
さらに、前記生成手段により生成された動画像データを前記記録媒体に記録する記録手段を有することを特徴とする請求項１記載の画像処理装置。
【請求項１０】
前記記録媒体はＤＶＤであり、前記検索単位はＤＶＤビデオフォーマットにおけるチャプターであることを特徴とする請求項１記載の画像処理装置。
【請求項１１】
前記記録媒体はＤＶＤであり、前記検索単位はＤＶＤビデオレコーディングフォーマットにおけるセルであることを特徴とする請求項１記載の画像処理装置。
【請求項１２】
複数の検索単位から構成される動画像データと、複数画面の静止画像データとを記録媒体から再生する再生ステップと、
前記再生された複数画面の静止画像データを用いて前記検索単位からなる動画像データを生成する際、前記記録媒体に記録可能な前記検索単位の残数と、前記記録媒体に記録されている静止画像データの数とに基づいて、前記生成する動画像データにおける前記検索単位の構成を決定する生成ステップと
を有することを特徴とする画像処理方法。
【発明の詳細な説明】
【技術分野】
【０００１】
本発明は、画像処理装置及び画像処理方法に関する。
【背景技術】
【０００２】
近年、MPEG等のフレーム間符号化を用いた動画像データをディスク状媒体、例えばDVDに記録再生するデジタルビデオカメラ等の装置が普及している。
【０００３】
こうしたデジタルビデオカメラは動画だけでなく、静止画を記録することも可能である。上記デジタルビデオカメラが動画像を記録する場合は、動画像をMPEGで符号化し、媒体にはDVD−VIDEO、DVD−VR等のフォーマットで記録する。
【０００４】
一方、静止画を記録する場合、デジタルカメラ等で採用されているJPEGで静止画像を符号化し、DCF等の静止画フォーマットで記録することが行なわれている。
【０００５】
このような動画像データと静止画像データが混在したDVDディスクを一般的なDVD再生装置に使用した場合、DVD再生装置には静止画用のデコーダは搭載されていない。そのため、静止画で記録されたデータはDVD再生装置では再生できず、視聴されないという問題がある。
【０００６】
上記の問題を回避するために、静止画をMPEGのフレーム内符号化データ（Iピクチャ）で符号化し、一般的なDVD再生装置で読むことが可能な上記DVD−VIDEO、DVD−VRに則ったフォーマットで記録するということが考えられる。しかし、静止画は動画像に比べて解像度が固定ではなく、動画像よりも解像度が高い場合もあり、その時には解像度の高い静止画像が撮れないということになる。
【０００７】
そこで、このような問題に対処するため、特許文献１では、動画像データはMPEGで符号化し、DVD−VIDEO、DVD−VR等のフォーマットでDVDに記録し、静止画像はJPEGで符号化してDVDに記録しておく。そして、所定のタイミングで（例えばファイナライズ時）、静止画データをMPEGに変換してDVD−VIDEO、DVD−VR等のフォーマットで記録する。これにより、一般的なDVD再生装置においても静止画で撮影したシーンが再生可能になるという提案が成されている。
【０００８】
DVD再生装置では、再生時はチャプター単位でメニューに表示が可能であり、画像データの検索に使用することができる。
【０００９】
【特許文献１】特開２００４−２０１１７０号公報
【発明の開示】
【発明が解決しようとする課題】
【００１０】
しかしながら、一枚のDVD上に設定できるチャプター数には制限があり、例えば、DVD−VIDEOフォーマットの場合は一枚当たりタイトルが９９個、チャプターは一タイトル当たり１個以上９９個までの任意の数である。DVD−VRフォーマットの場合はチャプターに相当するセルがMovie Cell、Still Picture Cellで各々９９９個までとなっている。
【００１１】
また、動画撮影の途中で静止画撮影を行った場合、その部分でディスク上のタイトル（VTS）が分かれることになる。また、ＤＶＤ−ＶＩＤＥＯフォーマットにおいては、一つのタイトル（ＶＴＳ）内では画像のサイズや記録レート等の記録のパラメーターは同一でなければならない。そのため、記録パラメーターを変更するとＤＶＤ−ＶＩＤＥＯフォーマットにおいてはタイトルは分けて、新規にタイトルを作らなければならない。
【００１２】
この様に、DVD−VIDEO、DVD−VRフォーマットでは、チャプター数の制限がある。このため、上記従来例では、静止画をMPEGに変換する際、一枚の静止画を１VOBに符号化して１チャプターを割り付ようとした場合、記録した静止画のJPEG画像１枚毎にチャプターを割り当てられない場合が生じるという問題がある。
【００１３】
本発明の目的は、記録媒体に記録した静止画が多い場合でも、再生時の検索性を向上させることである。
【課題を解決するための手段】
【００１４】
本発明の画像処理装置は、複数の検索単位から構成される動画像データと、複数画面の静止画像データとを記録媒体から再生する再生手段と、前記再生手段により再生された複数画面の静止画像データを用いて前記検索単位からなる動画像データを生成する生成手段と、前記記録媒体に記録可能な前記検索単位の残数と、前記記録媒体に記録されている静止画像データの数とに基づいて、前記生成手段により生成される動画像データにおける前記検索単位の構成を決定する制御手段とを有することを特徴とする。
また、本発明の画像処理方法は、複数の検索単位から構成される動画像データと、複数画面の静止画像データとを記録媒体から再生する再生ステップと、前記再生された複数画面の静止画像データを用いて前記検索単位からなる動画像データを生成する際、前記記録媒体に記録可能な前記検索単位の残数と、前記記録媒体に記録されている静止画像データの数とに基づいて、前記生成する動画像データにおける前記検索単位の構成を決定する生成ステップとを有することを特徴とする。
【発明の効果】
【００１５】
記録媒体に記録された静止画像が、割り付けられる検索単位の数より多い場合でも、再生時の検索性を保つことができる。
【発明を実施するための最良の形態】
【００１６】
（第１の実施形態）
本発明の第１の実施形態のデジタルビデオカメラ（画像処理装置）について図１を用いて説明する。図１の１０１は画像データの入力端子、１０２はカメラ信号処理回路、１０３はMPEG符号化回路、１０４は静止画符号化回路、１０５はバッファ回路、１０６は記録回路、１０７はＤＶＤなどのディスク記録媒体である。１０８は管理データ生成回路、１０９はタイトル／チャプター数計算回路、１１０は再生回路、１１１は静止画復号化回路、１１２は静止画枚数計算回路、１１３はMPEG符号化回路、１１４は制御回路、１１５は入力端子である。
【００１７】
動画像の撮影開始の指示が入力端子１１５から制御回路１１４に入力されると、制御回路１１４は各ブロックを制御して動画の記録を開始する。
【００１８】
不図示の撮像素子から入力端子１０１を介してカメラ信号処理回路１０２に動画像データが入力されると、カメラ信号処理回路１０２は動画像用のカメラ信号処理を施し、MPEG符号化回路１０３にカメラ信号処理した画像データを供給する。MPEG符号化回路１０３はカメラ信号処理回路１０２から供給される動画像データをフレーム間／フレーム内符号化を使って符号化処理をし、VOBデータとしてバッファ回路１０５に送出する。
【００１９】
バッファ回路１０５は制御回路１１４からの指示を受け、VOBデータを記録回路１０６に送出し、記録回路１０６は媒体に必要な変調等を施して記録媒体１０７にVOBデータを記録していく。
【００２０】
またMPEG符号化回路１０３は、画像サイズ、記録レート等の符号化の情報を管理データ生成回路１０８に送出する。管理データ生成回路１０８は画像サイズ、記録レート等の符号化の情報や、VOBを記録媒体上へ記録する際に、再生のために割り付けるチャプターの情報を生成し、バッファ回路１０５に送出する。
【００２１】
記録停止の指示が入力端子１１５から制御回路１１４に入力されると、制御回路１１４は記録停止の指示を各ブロックに与える。制御回路１１４から記録停止の制御をされると、MPEG符号化回路１０３は符号化処理を停止し、VOBの出力を終了する。記録が停止されると、管理データ生成回路１０８は上記VOBを１チャプターに割り当て、その割り当てた情報をVTSIに記録するためにバッファ回路１０５に送出し、記録回路１０６を介して媒体１０７に仮のVTSIを記録する。さらに動画像記録の記録開始／停止の指示とともに、新規のVOBを記録していく。
【００２２】
ここで、入力端子１１５から静止画像の記録指示があると、制御回路１１４は各ブロックを静止画信号処理をするように制御する。カメラ信号処理回路１０２は不図示の撮像素子から入力端子１０１を介して入力される画像データに対して静止画の信号処理を施し、静止画符号化回路１０４に送出する。静止画符号化回路１０４は入力された静止画データにJPEG符号化を施し、バッファ回路１０５に送出する。バッファ回路１０５に送出された静止画像データは記録回路１０６を介して記録媒体１０７に記録される。
【００２３】
また、管理データ生成回路１０８は仮のVMG情報を生成し、バッファ回路１０５に送出する。バッファ回路１０５は所定のタイミング（例えば本体の電源を切る時）で、記録回路１０６に仮のVMG情報を送出して記録媒体１０７に記録する。
【００２４】
図５はＤＶＤ−ＶＩＤＥＯフォーマットにおいて、動画、静止画撮影を繰り返した場合の記録媒体（ＤＶＤ）上のデータ配置の一例を示している。
【００２５】
図５は左から順に媒体上にデータが記録されていく様子を示す。図５において、ＶＭＧはVideo Managerと呼ばれ、後に続くＶＴＳに関する情報（ＶＴＳの数、各ＶＴＳを識別するためのＶＴＳ番号、媒体内の各ＶＴＳの記録位置等）、一つ以上のプログラムチェーン情報（ＰＧＣＩ）等が記録される。
【００２６】
次に記録されるVideo Title Set（タイトル）ＶＴＳ−１は、ＶＴＳ内のチャプターの識別情報、一つ以上のプログラムチェーン情報（ＰＧＣＩ）等が記述されるＶＴＳＩと動画像データ本体が記録される複数のＶＯＢから成る。ＶＯＢ（Video Object）は、ここでは例えば動画の撮影開始から一時停止までのシーンに対応している。
【００２７】
撮影されたＶＯＢはチャプターに割り付けられ、その情報はＶＴＳＩに記録される。ここで、静止画を撮影すると図５に示す静止画像−１の領域にＪＰＥＧ画像ＪＰＥＧ−１、ＪＰＥＧ−２・・・、ＪＰＥＧ−Ｋが記録される。
【００２８】
さらに記録を続けて次は再び、動画像をＶＴＳ−２に記録する。その後静止画像−２に複数枚のＪＰＥＧ画像ＪＰＥＧ−（Ｋ＋１）、ＪＰＥＧ−（Ｋ＋２）、・・・、ＪＰＥＧ−Ｌを記録して、さらに動画像をＶＴＳ−３、ＶＴＳ−４、・・・、ＶＴＳ−Ｎを記録する。
【００２９】
上記で述べたようにして、図２のように記録された媒体に対して、例えばファイナライズ（ここでいうファイナライズとは、VMG等に記録するパラメーターを記録することをさす）の処理の指示が入力端子１１５より入力される。すると、制御回路１１４は記録媒体１０７に記録されているデータを、再生回路１１０を制御して読み出し、仮のVMG、仮のVTSIの情報をタイトル／チャプター数計算回路１０９に送出する。タイトル／チャプター数計算回路１０９はディスク１０７に記録されているタイトル数Ｎに基づいて、使用できるタイトルの数Ｔｎを以下の通り算出して管理データ生成回路１０８に供給する。
【００３０】
Ｔｎ＝Ｔｍａｘ−Ｎ      ・・・（１）
【００３１】
ここで、Ｔｍａｘは一枚のディスクに記録可能なタイトル数の最大値であり、ＤＶＤビデオフォーマットの場合には９９となる。
【００３２】
さらに再生回路１１０は静止画枚数計算回路１１２にも記録媒体１０７の再生データを供給する。静止画枚数計算回路は媒体１０７に記録されているJPEG画像の枚数Ｓｍを計測し、管理データ生成回路１０８に供給する。そして、以下の様に静止画データを動画データに変換する。
【００３３】
管理データ生成回路１０８はタイトル／チャプター数計算回路１０９から供給される使用可能なタイトル数Ｔｎに割り付け可能なチャプター数Ｃｎを求める。
【００３４】
Ｃｎ＝Ｔｎ×Ｃｍａｘ      ・・・（２）
【００３５】
ここで、Ｃｍａｘは一つのタイトルに割り付け可能なチャプター数の最大値であり、ＤＶＤビデオフォーマットでは９９である。
【００３６】
そして、このＣｎと静止画枚数計算回路１１２から供給される媒体に記録されている静止画の数Ｓｍを比較する。
【００３７】
そして、次式（３）を満足すれば、管理データ生成回路１０８は図３に示すように記録された順番で、Ｔｎ×９９−１枚目までのJPEG画像は１枚に付き１ＶＯＢと成るように符号化する。そして、ＪＰＥＧ１枚毎に１チャプターになるようにチャプターを割り付け、さらに９９チャプター毎にタイトルを割り付けていく。
【００３８】
Ｓｍ＞Ｃｎ      ・・・（３）
【００３９】
最後のタイトルＶＴＳ−（Ｎ+Ｔｎ）内では、Ｔｎ×９９枚目からＳｍまでのＪＰＥＧ画像は一個のＶＯＢにして、まとめて１チャプターを割り当てるようにする。
【００４０】
また、Ｓｍ≦Ｃｎの場合、１画面の静止画データを一つのチャプターに割り付け、９９チャプター毎に一つのタイトルに割り付ける。
【００４１】
静止画へのチャプターの割り当てが決まると、媒体に記録されている静止画像データを再生回路１１０を介して再生し、静止画復号化回路１１１で復号してＭＰＥＧ符号化回路１１３に復号された静止画データを供給する。
【００４２】
ＭＰＥＧ符号化回路１１３は静止画をＭＰＥＧのイントラフレームに符号化し、上記で述べた管理データ生成回路のチャプターの割り付け方に従ってＶＯＢを生成し、バッファ回路１０５に供給する。バッファ回路１０５は図３のＶＴＳ−（Ｎ+1）からＶＴＳ−（Ｎ+Ｔｎ）までのタイトルを記録回路１０６を介して記録媒体１０７に記録していく。そして仮であったＶＭＧ、各ＶＴＳのＶＴＳＩの情報を書き込んでファイナライズを終了する。
【００４３】
また、これ以外にも、以下の様に静止画データを動画データに変換することが可能である。
【００４４】
管理データ生成回路１０８は、Ｓｍ＞Ｃｎであれば、次式（４）となるＱｓを求め、図４に示すようにＱｓ画面毎にチャプターを割り付けていく。
【００４５】
Ｓｍ／（Ｔｎ×９９）＝Ｑｓ      ・・・（４）
【００４６】
図４はQs = 2 の時を説明している。管理データ生成回路１０８でチャプターの割り付けが決まると、上記で述べたのと同様にしてＶＴＳを記録していく。
【００４７】
以上、説明したように、媒体に記録された静止画像が、割り付けられるチャプターの数より多い場合でも、再生時の検索性を保って記録することが可能となる。
【００４８】
（第２の実施形態）
本発明の第２の実施形態について図６を用いて説明する。図１と同じ働きをするものには同一の符号が付けられている。以下、異なる箇所のみ説明する。
【００４９】
上記第１の実施形態で説明した、図２のように記録された媒体に対して、例えばファイナライズの処理の指示が入力端子１１５より入力される。すると、制御回路１１４は記録媒体１０７に記録されているデータを、再生回路１１０を制御して読み出し、仮のVMG、仮のVTSIの情報をタイトル／チャプター数計算回路１０９に送出する。タイトル／チャプター数計算回路１０９はタイトルの数を計測し、使用できるタイトルの数Ｔｎ（（Ｎ＋Ｔｎ）≦９９）を算出して管理データ生成回路１０８に供給する。
【００５０】
さらに再生回路１１０は日付検出＆静止画枚数計算回路４０２にも記録媒体１０７の再生データを供給する。日付検出＆静止画枚数計算回路４０２は記録されているJPEG画像を記録の日付毎の枚数Ｓ（ｄ）と合計枚数Ｓｍを計算し、管理データ２生成回路４０１に供給する。
【００５１】
管理データ２生成回路４０１はタイトル／チャプター数計算回路１０９から供給される使用可能なタイトル数Ｔｎに割り付け可能なチャプター数Ｃｎと日付検出＆静止画枚数計算回路４０２から供給される媒体に記録されている静止画の数Ｓｍを比較する。
【００５２】
そして、Ｓｍ＞Ｃｎの場合、管理データ２生成回路４０１は図８に示すように、日付検出＆静止画枚数計算回路４０２から供給される情報をもとに日付が同じ静止画を一まとめにし（d−1、d−a、d−Tn）、日付毎にまずチャプターを割り当てる。
【００５３】
そして、９９チャプター毎に一つのタイトルに割り付けていく。もし、チャプターが余った場合は、一番画面数の多い日付のチャプターを更に複数のチャプターに分割してもよい。図８では日付ｄ−Ｔｎが一番多くの枚数を持ち、その次が日付ｄ−１を持つ静止画である。
【００５４】
チャプターを割り付けし終わった後の動作は第１の実施形態と同様であるので説明は省略する。
【００５５】
以上、説明したように、記録されている静止画の日付を検出し、日付毎にチャプターを割り付け、余ったチャプターは撮影枚数の多い日付に割り付けたことで、撮影日毎にまとまった検索、視聴が可能となった。
【００５６】
（第３の実施形態）
本発明の第３の実施形態について図７を用いて説明する。図１と同じ働きをするものには同一の符号が付けられている。以下、異なる箇所のみ説明する。
【００５７】
上記第１の実施形態で説明した、図２のように記録された媒体に対して、例えばファイナライズの処理の指示が入力端子１１５より入力される。すると、制御回路１１４は記録媒体１０７に記録されているデータを、再生回路１１０を制御して読み出し、仮のVMG、仮のVTSIの情報をタイトル／チャプター数計算回路１０９に送出する。タイトル／チャプター数計算回路１０９はタイトルの数を計測し、使用できるタイトルの数Ｔｎ（（Ｎ＋Ｔｎ）≦９９）を算出して管理データ３生成回路５０１に供給する。
【００５８】
さらに再生回路１１０は静止画枚数計算回路５０２、撮影時間検出回路５０３にも記録媒体１０７の再生データを供給する。静止画枚数計算回路５０２は記録されているJPEG画像の合計枚数Ｓｍを計算し、管理データ３生成回路５０１に供給する。撮影時間検出回路５０３は各静止画毎の撮影時間を検出し、管理データ３生成回路５０１に供給する。
【００５９】
管理データ３生成回路５０１はタイトル／チャプター数計算回路１０９から供給される使用可能なタイトル数Ｔｎに割り付け可能なチャプター数Ｃｎと静止画枚数計算回路５０２から供給される媒体に記録されている静止画の数Ｓｍを比較する。
【００６０】
そして、Ｓｍ＞Ｃｎであれば、管理データ３生成回路５０１は撮影時間検出回路５０３から供給される各静止画像の撮影時間からお互いの差がＴｓ秒以内のものをグループ化する。その様子を図９を用いて説明する。
【００６１】
管理データ３生成回路５０１はお互いの撮影時間差がＴｓ秒以内にあるものを探す。図９ではｃ−１のＪＰＥＧ２、ＪＰＥＧ３、ＪＰＥＧ４，ＪＰＥＧ５と、ｃ−２のＪＰＥＧｓ〜ＪＰＥＧｔがお互いＴｓ秒以内にあるとすると、ｃ−１とｃ−２をそれぞれ一チャプターに割り付ける。そして、Ｓｍ−（５−１）−（ｔ−ｓ）とＴｎ×９９−２を比較して、次式を満足すれば、撮影時間の差Ｔｓ秒を例えばＴｓ＋Ｐｓ秒に大きくして、各静止画像の撮影時間から、お互いの差がＴｓ＋Ｐｓ秒以内のものをグループ化する。
【００６２】
Ｓｍ−（５−１）−（ｔ−ｓ）＞Ｃｎ−２
【００６３】
図９ではｃ−３のＪＰＥＧｒからＪＰＥＧｑがそれに当たるので、ＪＰＥＧｒからＪＰＥＧｑを一つのチャプターに割り付ける。
【００６４】
そして再び管理データ３生成回路５０１はＳｍ−（５−１）−（ｔ−ｓ）−（ｑ−ｒ）とＣｎ−３の大きさを比較して、次式における左辺が小さくなるまで、撮影時間の近いものから一つのチャプターに割り付けていく。
【００６５】
Ｓｍ−（５−１）−（ｔ−ｓ）−（ｑ−ｒ）＜Ｃｎ−３
【００６６】
チャプターを割り付けし終わった後の動作は第１の実施形態と同様であるので説明は省略する。
【００６７】
また上記第１、第２、第３の実施形態ではＤＶＤ−ＶＩＤＥＯフォーマットについて説明した。しかし、ＤＶＤ−ＶＲフォーマットについても、チャプターがセルになり、制限が一枚のディスク上で９９９個までに代わるだけなので、上記実施形態と同様のことが実施できる。
【００６８】
以上、説明したように、記録されている静止画の撮影時間を検出し、撮影時間の近いものからひとまとめにしてチャプターを割り付ける。そして、残りの静止画枚数が残りのチャプター数より小さくなるまで撮影時間間隔の幅を広げてその差に入る静止画をまとめて一つのチャプターに割り付けていくようにしたことで、連写など撮影時間の近いものは、まとめて視聴できる。そして、時間的に離れているものは、チャプターに割り付けられているので、検索しやすくなった。
【００６９】
以上のように、第１〜第３の実施形態によれば、記録媒体に動画と静止画が混在して記録されている。再生回路１１０は、複数の検索単位から構成される動画像データと、複数画面の静止画像データとを記録媒体から再生する。前記検索単位は、ＤＶＤビデオ（ＤＶＤ−ＶＩＤＥＯ）フォーマットにおけるチャプター、又はＤＶＤビデオレコーディング（ＤＶＤ−ＶＲ）フォーマットにおけるセルである。第１の実施形態では、生成手段は、管理データ生成回路１０８、タイトル／チャプター数計算回路１０９、静止画復号化回路１１１、静止画枚数計算回路１１２及びＭＰＥＧ符号化回路１１３を含む。第２及び第３の実施形態では、生成手段は、さらに、管理データ生成回路４０１，５０１、静止画枚数計算回路５０２、日付検出＆静止画枚数計算回路４０２及び撮影時間検出回路５０３を含む。前記生成手段は、再生回路１１０により再生された複数画面の静止画像データを用いて前記検索単位からなる動画像データを生成する。その際、前記記録媒体に記録可能な前記検索単位の残数と、前記記録媒体に記録されている静止画像データの数とに基づいて、前記生成手段により生成される動画像データにおける前記検索単位の構成を決定する。記録回路１０６は、前記生成手段により生成された動画像データを前記記録媒体に記録する。
【００７０】
前記比較の結果、前記静止画像データの数の方が多い場合には、前記生成手段により生成される動画像データに含まれる複数の前記検索単位のうちの少なくとも一つを複数画面の前記静止画像データにより構成する。前記静止画像データの数が前記記録媒体に記録可能な前記検索単位の残数以下の場合には、前記生成手段により生成される動画像データに含まれる複数の前記検索単位をそれぞれ１画面の前記静止画像データにより構成する。
【００７１】
前記比較の結果、前記静止画像データの数の方が多い場合、前記生成手段により生成される動画像データに含まれる複数の前記検索単位をそれぞれ複数画面の前記静止画像データにより構成する。
【００７２】
前記記録媒体に記録されている動画像データは、それぞれ最大ｍ個の第１の検索単位（チャプター）からなる第２の検索単位（タイトル）に分割されており、前記生成手段は、ｍ個の前記第１の検索単位毎に前記第２の検索単位を構成する動画像データを生成する。
【００７３】
また、前記比較の結果、前記静止画像データの数の方が多い場合、前記記録媒体に記録されている複数画面の静止画像データを複数のグループに分割する。そして、前記生成手段により生成される動画像データに含まれる複数の前記検索単位をそれぞれ一つの前記グループの前記静止画像データにより構成する。第２の実施形態では、前記静止画像データの記録日（撮影日）に基づいて前記複数のグループに分割する。第３の実施形態では、前記静止画像データの記録時間（撮影時間）に基づいて前記複数のグループに分割する。
【００７４】
これにより、記録媒体に記録された静止画像が、割り付けられる検索単位（チャプター）の数より多い場合でも、再生時の検索性を保って記録することが可能となる。
【００７５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００７６】
【図１】本発明の第１の実施形態を説明するための図である。
【図２】本発明の第１の実施形態における静止画像から動画像変換時のチャプターの割り付け方を説明するための図である。
【図３】本発明の第１の実施形態における静止画像から動画像変換時のチャプターの割り付け方を説明するための図である。
【図４】本発明の第１の実施形態における静止画像から動画像変換時のチャプターの割り付け方を説明するための図である。
【図５】静止画像から動画像変換時のチャプターの割り付け方を説明するための図である。
【図６】本発明の第２の実施形態を説明するための図である。
【図７】本発明の第３の実施形態を説明するための図である。
【図８】静止画を日付毎にまとめてチャプターを割り付ける仕方を説明するための図である。
【図９】撮影時間の差の小さい静止画からまとめてチャプターを割り付ける仕方を説明するための図である。
【符号の説明】
【００７７】
１０１  入力端子
１０２  カメラ信号処理回路
１０３  MPEG符号化回路
１０４  静止画符号化回路
１０５  バッファ回路
１０６  記録回路
１０７  記録媒体
１０８  管理データ生成回路
１０９  タイトル／チャプター数計算回路
１１０  再生回路
１１１  静止画復号化回路
１１２  静止画枚数計算回路
１１３  ＭＰＥＧ符号化回路
１１４  制御回路
１１５  入力端子
４０１  管理データ２生成回路
４０２  日付検出＆静止画枚数計算回路
５０１  管理データ３生成回路
５０２  静止画枚数計算回路
５０３  撮影時間検出回路
【図１】
2007116462.tif 000003
【図２】
2007116462.tif 000004
【図３】
2007116462.tif 000005
【図４】
2007116462.tif 000006
【図５】
2007116462.tif 000007
【図６】
2007116462.tif 000008
【図７】
2007116462.tif 000009
【図８】
2007116462.tif 000010
【図９】
2007116462.tif 000011